(57)【要約】  タッチメッセージを送信する方法は、第１装置のタッチ受付面におけるタッチ領域を記録し、上記タッチ受付面の上記タッチ領域内がタッチされることによって引き起こされる応答を記録し、上記記録されたタッチ領域と、上記応答とを含むメッセージを作成し、上記メッセージを上記第１装置から第２装置に送信し、上記第２装置のタッチ受付面におけるタッチを受け付け、上記第２装置のタッチ受付面における上記タッチが上記タッチ領域内であることを判定し、上記タッチが上記タッチ領域内である場合、上記応答を引き起こす。
2017527032.tif 000002
【特許請求の範囲】
【請求項１】
タッチメッセージを送信する方法であって、
第１装置のタッチ受付面におけるタッチ領域を記録し、
上記タッチ受付面の上記タッチ領域内がタッチされることによって引き起こされる応答を記録し、
上記記録されたタッチ領域と、上記応答とを含むメッセージを作成し、
上記メッセージを上記第１装置から第２装置に送信し、
上記第２装置のタッチ受付面におけるタッチを受け付け、
上記第２装置のタッチ受付面における上記タッチが上記タッチ領域内であることを判定し、
上記タッチが上記タッチ領域内である場合、上記応答を引き起こす、方法。
【請求項２】
タッチメッセージを送信する方法であって、
第１装置のタッチ受付面におけるタッチ領域を記録し、
上記タッチ受付面の上記タッチ領域内がタッチされることによって引き起こされる応答を記録し、
上記記録されたタッチ領域と、上記応答とを含むメッセージを作成し、
第２装置のタッチ受付面がタッチを受け付けたときに上記タッチと上記タッチ領域とを対照し、上記タッチが上記タッチ領域内である場合に上記応答を引き起こすために、上記第１装置から上記第２装置に上記メッセージを送信する、方法。
【請求項３】
第２装置でタッチメッセージを受信する方法であって、
第１装置のタッチ受付面において記録されたタッチ領域と、上記タッチ受付面の上記タッチ領域内がタッチされることによって引き起こされる応答とを含むメッセージを受信し、
上記第２装置のタッチ受付面におけるタッチを受け付け、
上記第２装置のタッチ受付面における上記タッチが上記タッチ領域内であることを判定し、
上記タッチが上記タッチ領域内である場合、上記応答を引き起こす、方法。
【請求項４】
上記タッチ受付面はタッチスクリーンである、請求項１〜３のいずれか１項に記載の方法。
【請求項５】
上記タッチ領域は、ユーザが、上記タッチ受付面にタッチし、かつ、上記タッチ受付面に適用されるタッチを記録することによって生成される、請求項１〜４のいずれか１項に記載の方法。
【請求項６】
上記タッチ受付面の上記タッチのための視覚的リファレンスを与えるためにメッセージに含まれる画像が選出される、請求項１〜５のいずれか１項に記載の方法。
【請求項７】
上記視覚的リファレンスは、上記第２装置における上記タッチの受け付けにおいて使用される、請求項６に記載の方法。
【請求項８】
上記タッチ受付面の上記タッチのための一連の視覚的リファレンスを与えるために、上記メッセージに含まれる一連の画像が選出される、請求項１〜４のいずれか１項に記載の方法。
【請求項９】
それぞれの上記視覚的リファレンスは、一連のタッチ領域の生成において使用される、請求項８に記載の方法。
【請求項１０】
それぞれの上記視覚的リファレンスは、上記第２装置において上記一連のタッチの受け付けにおいて使用される、請求項８および９に記載の方法。
【請求項１１】
それぞれの視覚的リファレンスは、他の視覚的リファレンスに変化する、請求項１０に記載の方法。
【請求項１２】
ある視覚的リファレンスから他の視覚的リファレンスへの変化は、聴覚効果および視覚効果の少なくとも一方に関連している、請求項１１に記載の方法。
【請求項１３】
上記タッチ領域はタッチスクリーンの全体である、請求項１〜１２のいずれか１項に記載の方法。
【請求項１４】
上記タッチ領域は上記タッチスクリーンの一部分の領域である、請求項１３に記載の方法。
【請求項１５】
上記タッチ領域は、上記タッチスクリーンの複数部分の領域である、請求項１３に記載の方法。
【請求項１６】
上記タッチ領域は、上記複数部分の領域における連続的なタッチをさらに含む、請求項１５に記載の方法。
【請求項１７】
上記タッチ領域は、上記複数部分の領域におけるタッチのタイミングをさらに含む、請求項１５または１６に記載の方法。
【請求項１８】
上記タッチ領域は、ある部分の領域から他の部分の領域へのタッチおよびドラッグ移動をさらに含む、請求項１５に記載の方法。
【請求項１９】
上記タッチ領域はある部分の領域から他の部分の領域への、一連のタッチおよびドラッグ移動をさらに含む、請求項１８に記載の方法。
【請求項２０】
画像は装置のカメラまたは上記装置のストレージから取得される、請求項１〜１９のいずれか１項に記載の方法。
【請求項２１】
上記タッチ領域は、上記第２装置のユーザを示す、請求項１〜２０のいずれか１項に示す方法。
【請求項２２】
上記タッチ領域はタッチスクリーン上で視覚的に強調される、請求項１〜２１のいずれか１項に記載の方法。
【請求項２３】
上記第２装置のユーザに、タッチする場所と、いつタッチすべきか、および、何をタッチすべきかの少なくとも一方のいくつかの具体例と、を教えるため、視覚的プロンプトがタッチスクリーン上に表示される、請求項１〜２２のいずれか１項に記載の方法。
【請求項２４】
上記応答は、第１画像を表示するための応答、および、第１音声を再生するための応答の少なくとも一方である、請求項１〜２３のいずれか１項に記載の方法。
【請求項２５】
上記第２装置は、上記第２装置のユーザがタッチスクリーンの上記タッチ領域を不正確にタッチしたことを示すように構成される、請求項１〜２４のいずれか１項に記載の方法。
【請求項２６】
上記第２装置は、上記第２装置における上記タッチ領域へのタッチの正確さを判定するように構成される、請求項１〜２５のいずれか１項に記載の方法。
【請求項２７】
上記第１装置における上記タッチと、上記第２装置における上記タッチとの間の一致度合いを判定する、請求項１〜２６のいずれか１項に記載の方法。
【請求項２８】
上記第２装置は、上記第１装置における上記タッチと、上記第２装置における上記タッチとの間の一致度合いを段階的に示す、請求項２７に記載の方法。
【請求項２９】
１つ以上の応答を記録し、第１応答は上記一致度合いが所定量以上であるときに引き起こされるとともに、第２応答は上記一致の程度が所定量未満であるときに引き起こされる、請求項２７および２８に記載の方法。
【請求項３０】
上記第２装置におけるタッチの受付け、上記一致度合いの提示、および応答は、自動的に繰り返される、請求項３０〜３２のいずれか１項に記載の方法。
【請求項３１】
上記タッチ領域は、上記第１装置のタッチスクリーンのサイズ、および上記第２装置のタッチスクリーンのサイズに応じて定められる、請求項１〜３０のいずれか１項に記載の方法。
【請求項３２】
上記タッチ領域は、画面アスペクト比になるように定義される、請求項１〜３１のいずれか１項に記載の方法。
【請求項３３】
タッチメッセージを送信するシステムであって、
第１装置と第２装置とを含み、
上記第１装置は、
タッチ受付面と、
タッチ受付部上のタッチ領域を記録する記録部と、
上記タッチ受付面の上記タッチ領域内がタッチされることによって引き起こされる応答を記録する記録部と、
上記記録されたタッチ領域と、上記応答とを含むメッセージを作成するメッセージ作成部と、
上記メッセージを上記第１装置から第２装置に送信する送信部と、を備え、
上記第２装置は、
タッチを受け付けるためのタッチ受付面と、
上記第２装置のタッチ受付面における上記タッチが上記タッチ領域内であることを判定し、上記タッチが上記タッチ領域内である場合上記応答を引き起こす判定部と、
を備える、システム。
【請求項３４】
第２装置にタッチメッセージを送信するよう構成された第１装置であって、
タッチ受付面におけるタッチ領域を記録する記録部と、
タッチ受付面の上記タッチ領域内がタッチされることによって引き起こされる応答を記録する記録部と、
上記記録されたタッチ領域と、上記応答とを含むメッセージを作成するメッセージ作成部と、
上記メッセージを上記第１装置から第２装置に送信する送信部と、を備え、
上記メッセージは、上記第２装置のタッチ受付面がタッチを受け付けたとき、上記タッチと上記タッチ領域とを対照してもよく、かつ上記タッチが上記タッチ領域内であるとき、上記応答が引き起こされるように構成される、第１装置。
【請求項３５】
第１装置からのタッチメッセージを受信するように構成された第２装置であって、メッセージの受信部は、記録された第１装置のタッチ受付面におけるタッチ領域と、タッチ受付面の上記タッチ領域内がタッチされることによって引き起こされる応答とを含み、
タッチを受け付けるためのタッチ受付面と、
上記第２装置のタッチ受付面における上記タッチが上記タッチ領域内であることを判定し、上記タッチが上記タッチ領域内である場合上記応答を引き起こす判定部と、を備える、第２装置。
【請求項３６】
ボータブルコンピューティングデバイスのプロセッサが、下記（Ａ）および（Ｂ）の少なくとも一方の動作を行うように制御するための指示を含んでおり、実体的な形式で格納された、コンピュータプログラム製品。
（Ａ）第１装置のタッチ受付面におけるタッチ領域を記録し、
タッチ受付面の上記タッチ領域内がタッチされることによって引き起こされる応答を記録し、
上記記録されたタッチ領域と、上記応答とを含むメッセージを作成し、
第２装置のタッチ受付面がタッチを受け付けたとき、上記タッチと上記タッチ領域とを対照してもよく、かつ上記タッチが上記タッチ領域内であるとき、上記応答が引き起こされるように、上記メッセージを上記第１装置から第２装置に送信する。
（Ｂ）上記記録された上記第１装置の上記タッチ受付面上のタッチ領域と、タッチ受付面の上記タッチ領域内がタッチされることによって引き起こされる応答とを含むメッセージを受信し、
上記第２装置のタッチ受付面におけるタッチを受け付け、
上記第２装置のタッチ受付面における上記タッチが上記タッチ領域内であることを判定し、上記タッチが上記タッチ領域内である場合に、上記応答を引き起こす。
【請求項３７】
請求項３６に記載のコンピュータプログラム製品の送信、受信、または格納を含む、方法。
【請求項３８】
コンピュータが読み出し可能なデータ形式のメッセージであって、
記録された第１装置のタッチ受付面上のタッチ領域と、第２装置のタッチ受付面の上記タッチ領域内がタッチされることによって引き起こされる応答と、を含む、メッセージ。
【請求項３９】
請求項３８に記載のメッセージの送信、受信、または格納を含む、方法。
【発明の詳細な説明】
【技術分野】
【０００１】
本発明は、タッチメッセージを送信するシステムと、タッチメッセージを送信する方法とに関するものである。タッチメッセージは双方向の電子メッセージを含んでいてもよいが、双方向の電子メッセージに限定はされない。
【背景技術】
【０００２】
長距離離れた人同士は、「スマートフォン」のような携帯型コンピュータ装置を使用することで、互いに通信および交流することができる。これらの携帯型コンピュータ装置は、無線データネットワークを使用して、他の同類の装置との間で電子メッセージを作成および送信することができる。上記メッセージは、簡単なテキストメッセージの形式または、画像、動画、および音声コンテンツを含み得る、マルチメディアメッセージの形式であって良い。電子メッセージを使用した交流は、通常、テキストを読むこと、ビデオクリップを見ることまたは、録音されたサウンドクリップを聞くことに限られる。
【０００３】
大抵の場合、上記メッセージは、視覚と聴覚との２つの感覚を用いてメッセージを伝えるものであるだけで十分である。
【発明の概要】
【発明が解決しようとする課題】
【０００４】
本発明は、背景技術の不利な点および短所の少なくとも一方を克服すること、少なくとも実質的な改善をもたらすこと、ならびに代替案の少なくとも一つを提供することを目的とする。
【０００５】
この明細書において証明されるあらゆる論は、明確に言及しない限り、本発明の分野における当業者に知られた共通の一般的知識の一部を形成している文献に含まれる情報を示すことを認めることを意図していない。
【課題を解決するための手段】
【０００６】
本発明により提供されるタッチメッセージを送信する方法は、第１装置のタッチ受付面におけるタッチ領域を記録し、タッチ受付面の上記タッチ領域内がタッチされることによって引き起こされる応答を記録し、上記記録されたタッチ領域と、上記応答とを含むメッセージを作成し、上記メッセージを上記第１装置から第２装置に送信し、上記第２装置のタッチ受付面におけるタッチを受け付け、上記第２装置のタッチ受付面における上記タッチが上記タッチ領域内であることを判定し、上記タッチが上記タッチ領域内である場合、上記応答を引き起こす方法。 
【０００７】
本発明により提供されるタッチメッセージを送信する方法は、第１装置のタッチ受付面におけるタッチ領域を記録し、上記タッチ受付面の上記タッチ領域内がタッチされることによって引き起こされる応答を記録し、上記記録されたタッチ領域と、上記応答とを含むメッセージを作成し、第２装置のタッチ受付面がタッチを受け付けたときに上記タッチと上記タッチ領域とを対照し、上記タッチが上記タッチ領域内である場合に上記応答を引き起こすために、上記第１装置から上記第２装置に上記メッセージを送信する方法である。      
【０００８】
本発明により提供される第２装置でタッチメッセージを受信する方法は、第１装置のタッチ受付面において記録されたタッチ領域と、上記タッチ受付面の上記タッチ領域内がタッチされることによって引き起こされる応答とを含むメッセージを受信し、上記第２装置のタッチ受付面におけるタッチを受け付け、上記第２装置のタッチ受付面における上記タッチが上記タッチ領域内であることを判定し、上記タッチが上記タッチ領域内である場合、上記応答を引き起こす方法である。 
【０００９】
一実施形態では、上記タッチ受付面はタッチスクリーンである。 
【００１０】
一実施形態では、上記タッチ受付面の上記タッチのための視覚的リファレンスを与えるためにメッセージに含まれる画像が選択される。 
【００１１】
一実施形態では、視覚的リファレンスがタッチ領域を生成するのに用いられる。 
【００１２】
一実施形態では、タッチ領域は、第１装置のユーザがタッチ受付面をタッチすること、およびタッチ受付面のタッチを記録することで生成される。 
【００１３】
一実施形態では、上記視覚的リファレンスは、上記第２装置における上記タッチの受け付けにおいて使用される。 
【００１４】
一実施形態では、一連の視覚的リファレンスは、一連のタッチ領域の生成において使用される。 
【００１５】
一実施形態では、一連の視覚的リファレンスの各々は、別の視覚的リファレンスに推移する。 
【００１６】
ある視覚的リファレンスから他の視覚的リファレンスへの変化は、聴覚効果および視覚効果の少なくとも一方に関連している。 
【００１７】
一実施形態では、上記タッチ領域はタッチスクリーンの全体である。 
【００１８】
一実施形態では、上記タッチ領域は上記タッチスクリーンの一部分の領域である。 
【００１９】
一実施形態では、上記タッチ領域は、上記タッチスクリーンの複数部分の領域である。      
【００２０】
一実施形態では、上記タッチ領域は、上記複数部分の領域における連続的なタッチをさらに含む。 
【００２１】
一実施形態では、上記タッチ領域は、上記複数部分の領域におけるタッチのタイミングをさらに含む。 
【００２２】
一実施形態では、上記タッチ領域は、ある部分の領域から他の部分の領域へのタッチおよびドラッグ移動をさらに含む。 
【００２３】
一実施形態では、上記タッチ領域はある部分の領域から他の部分の領域への、一連のタッチおよびドラッグ移動をさらに含む。 
【００２４】
一実施形態では、画像は装置のカメラまたは上記装置のストレージから取得される。 
【００２５】
一実施形態では、上記タッチ領域は、上記第２装置のユーザを示す。 
【００２６】
一実施形態では、上記タッチ領域は上記タッチスクリーン上で視覚的に強調される。 
【００２７】
一実施形態では、上記第２装置のユーザに、タッチする場所と、いつタッチすべきか、および、何をタッチすべきかの少なくとも一方のいくつかの具体例と、を教えるため、視覚的プロンプトがタッチスクリーン上に表示される。 
【００２８】
一実施形態では、上記応答は、第１画像を表示するための応答、および、第１音声を再生するための応答の少なくとも一方である。 
【００２９】
一実施形態では、音声は、デバイスのマイクまたはデバイスのストレージから得られる。 
【００３０】
一実施形態では、上記第２装置は、上記第２装置のユーザがタッチスクリーンの上記タッチ領域を不正確にタッチしたことを示すように構成される。 
【００３１】
一実施形態では、提示は、第２画像の表示または、第２の音声の再生であってもよい 
一実施形態では、上記第２装置は、上記第２装置における上記タッチ領域へのタッチの正確さを判定するように構成される。 
【００３２】
一実施形態では、上記第１装置における上記タッチと、上記第２装置における上記タッチとの間の一致度合いを判定する。 
【００３３】
一実施形態では、上記第２装置は、上記第１装置における上記タッチと、上記第２装置における上記タッチとの間の一致度合いを段階的に示す。 
【００３４】
一実施形態では、１つ以上の応答を記録し得る、第１応答は上記一致度合いが所定量以上であるときに引き起こされるとともに、第２応答は上記一致の程度が所定量未満であるときに引き起こされる。 
【００３５】
一実施形態では、上記第２装置におけるタッチの受付け、上記一致度合いの提示、および応答は、自動的に繰り返される。 
【００３６】
一実施形態では、上記タッチ領域は、上記第１装置のタッチスクリーンのサイズ、および上記第２装置のタッチスクリーンのサイズに応じて定められる。 
【００３７】
一実施形態では、上記タッチ領域は、画面アスペクト比になるように定義される。 
【００３８】
一実施形態では、背景を与えるために、メッセージに含まれた別の画像が選択される。
【００３９】
一実施形態では、背景は、１つ以上の画像を含んでいてもよい。
【００４０】
一実施形態では、タッチメッセージは、第１装置上に、テンプレートとして格納されてもよく、タッチメッセージの構成要素は、以前のステートメント（statement）によって定義された構成要素が変更されたものでもよい。 
【００４１】
本発明により提供される、タッチメッセージを送信するシステムは、第１装置と第２装置とを含み、上記第１装置は、タッチ受付面と、タッチ受付部上のタッチ領域を記録する記録部と、上記タッチ受付面の上記タッチ領域内がタッチされることによって引き起こされる応答を記録する記録部と、上記記録されたタッチ領域と、上記応答とを含むメッセージを作成するメッセージ作成部と、上記メッセージを上記第１装置から第２装置に送信する送信部と、を備え、上記第２装置は、タッチを受け付けるためのタッチ受付面と、上記第２装置のタッチ受付面における上記タッチが上記タッチ領域内であることを判定し、上記タッチが上記タッチ領域内である場合上記応答を引き起こす判定部と、を備えるシステムである。 
【００４２】
本発明により提供される、第２装置にタッチメッセージを送信するよう構成された第１装置は、タッチ受付面におけるタッチ領域を記録する記録部と、タッチ受付面の上記タッチ領域内がタッチされることによって引き起こされる応答を記録する記録部と、上記記録されたタッチ領域と、上記応答とを含むメッセージを作成するメッセージ作成部と、上記メッセージを上記第１装置から第２装置に送信する送信部と、を備え、上記メッセージは、上記第２装置のタッチ受付面がタッチを受け付けたとき、上記タッチと上記タッチ領域とを対照してもよく、かつ上記タッチが上記タッチ領域内であるとき、上記応答が引き起こされ得るように構成される。 
【００４３】
本発明により提供される、第１装置からのタッチメッセージを受信するように構成された第２装置は、メッセージの受信部は、記録された第１装置のタッチ受付面におけるタッチ領域と、タッチ受付面の上記タッチ領域内がタッチされることによって引き起こされる応答とを含み、タッチを受け付けるためのタッチ受付面と、上記第２装置のタッチ受付面における上記タッチが上記タッチ領域内であることを判定し、上記タッチが上記タッチ領域内である場合上記応答を引き起こす判定部とを備える。 
【００４４】
一実施形態では、第１装置と第２装置とは、スマートフォン（または、他の携帯型計算装置）であってもよい。スマートフォン（または、他の携帯型計算装置）は、スマートフォンの動作を上述で定義したように制御するための命令を含んだコンピュータアプリケーションを、非一時的なメモリに格納するよう構成されていてもよい。
【００４５】
本発明により提供される、ボータブルコンピューティングデバイスのプロセッサは、下記（Ａ）および（Ｂ）の少なくとも一方の動作を行うように制御するための指示を含んでおり、実体的な形式で格納された、コンピュータプログラム製品である。
【００４６】
ここで上記の（Ａ）の動作は、第１装置のタッチ受付面におけるタッチ領域を記録し、タッチ受付面の上記タッチ領域内がタッチされることによって引き起こされる応答を記録し、上記記録されたタッチ領域と、上記応答とを含むメッセージを作成し、上記第２装置のタッチ受付面がタッチを受け付けたとき、上記タッチと上記タッチ領域とを対照してもよく、かつ上記タッチが上記タッチ領域内であるとき、上記応答が引き起こされ得るように、上記メッセージを上記第１装置から第２装置に送信する動作である。
【００４７】
ここで上記の（Ｂ）の動作は、上記記録された上記第１装置の上記タッチ受付面上のタッチ領域と、タッチ受付面の上記タッチ領域内がタッチされることによって引き起こされる応答とを含むメッセージを受信し、上記第２装置のタッチ受付面におけるタッチを受け付け、上記第２装置のタッチ受付面における上記タッチが上記タッチ領域内であることを判定し、上記タッチが上記タッチ領域内である場合に、上記応答を引き起こす動作である。 
【００４８】
本発明により提供される方法は、コンピュータプログラム製品の送信、受信、または格納を含む。 
【００４９】
本発明により提供される、コンピュータが読み出し可能なデータ形式のメッセージは、記録された第１装置のタッチ受付面上のタッチ領域と、第２装置のタッチ受付面の上記タッチ領域内がタッチされることによって引き起こされる応答とを含む。 
【００５０】
本発明により提供される方法は、上記メッセージの送信、受信、または格納を含む。 
【００５１】
本明細書と請求項を通して、特段の説明を必要とせずとも、“comprise（含む）”またはその変形例としての“comprises（含む）”または“comprising（含んでいる）”の用語は、記載された完全体または、完全体のグループを包含すると示唆されると理解され得るが、他の完全体または完全体のグループを排除することは意図していない。
【図面の簡単な説明】
【００５２】
今から、本発明の実施形態に対するより良い理解を与えるために、以下の図面を参照して、一例として、説明を行う。
【図１】本発明を具体化するシステムを図で示したものである。
【図２】本発明の一実施形態に係る第１装置の機能的モジュールに関するブロック図である。
【図３】本発明の一実施形態に係る第２装置の機能的モジュールに関するブロック図である。
【図４】タッチメッセージを送信する方法を例示したフローチャートを示すものである。
【図５】タッチメッセージを作成する方法を例示したフローチャートである。
【図６】タッチ受付面に表示される視覚的リファレンスを有する装置を示す図である。
【図７】図６に示す装置であって、上記視覚的リファレンスで定義されるタッチ領域を有する、装置を示す図である。
【発明を実施するための形態】
【００５３】
図１は、タッチメッセージを送信するためのシステムであって、本発明を具体化し得る、システム１０を示す図である。システム１０は、第１装置１２と第２装置１４ａ、１４ｂとを含む。言うまでもなく、デバイス（装置）１２、１４ａ、および１４ｂはそれぞれ、スマートフォン、ラップトップコンピュータ、タブレットコンピュータ、またはこれらに類似するものであってもよい。
【００５４】
第１装置１２は、ランダムアクセスメモリ（ＲＡＭ）のような揮発性メモリとリードオンリーメモリ（ＲＯＭ）のような不揮発性メモリとを含むメモリ１６を包含する。
【００５５】
第１装置１２は、１つ以上のネットワーク２０で通信するためのネットワークインターフェース１８も包含する。ネットワーク２０は、イーサネット（登録商標）ネットワークのような有線ネットワーク、または、Bluetooth（登録商標）ネットワーク、ＩＥＥＥ  ８０２．１１ネットワーク、もしくは携帯電話のネットワークのような無線ネットワークであってもよい。ネットワーク２０は、ホームもしくはオフィスのコンピュータネットワークのようなローカルエリアネットワーク（ＬＡＮ）であってもよいし、例えばインターネットまたはプライベートＷＡＮのような広域ネットワーク（ＷＡＮ）であってもよい。
【００５６】
ネットワーク２０は、メッセージ交換（message exchange）またはあるデバイスから他のデバイスに交換（exchange）を介さずに送信されるメッセージを含んでいてもよい。
【００５７】
第１装置１２は、コンピュータアプリケーション３０を形作るような命令を実行するためのプロセッサ２２を包含する。コンピュータアプリケーション３０は、ストレージデバイス２４からメモリ１６へロードされてもよい。コンピュータプログラム３０は、ネットワークインターフェース１８を使用することで、ネットワーク２０経由でアプリケーションストアから取得されてもよい。ストレージデバイス２４は、ＳＳＤ(Solid State Drive)、ＨＤＤ(Hard Disk Drive)、またはこれらに類似するものであってもよい。
【００５８】
この方法において、メモリ１６に格納されたコンピュータアプリケーション３０は、プロセッサ２２によって引き出されて実行された場合、第１装置１２を、上記機能的モジュールを含み得る特別な目的を有した機械、および、ここで述べる上記機能を実行し得る特別な目的を有した機械の少なくとも一方として形成し得る。
【００５９】
デバイス１２は、ユーザに画像を表示するための、および、該ユーザからの入力を受け付けるためのタッチスクリーン３２を備えていてもよい。一般的に、デバイスは、カメラ２８とマイク／スピーカー２６も含む。第２装置１４a、１４ｂは、一般的にデバイス１２と同一または実質的に同等のハードウェア構成要素を有し、該ハードウェア構成要素はそれらのプロセッサによって実行されるためにそれらの部材にロードされるコンピュータアプリケーション３０を伴い得る。
【００６０】
図２を参照すると、ある一実施形態における第１装置１２は、次の機能モジュール３４を動作させるためのコンピュータアプリケーション３０の命令によって形作られる。
【００６１】
タッチ領域を記録するためのモジュール３６
応答を記録するモジュール３８
メッセージを作成するためのモジュール４０
メッセージを送信するためのモジュール４２
メッセージを受信するためのモジュール４４
タッチを受け付けるためのモジュール４６
タッチがタッチ領域内かどうか判定するためのモジュール４８
応答を与えるためのモジュール５０
モジュール３６は、タッチスクリーン３２のタッチ受付面へのタッチ入力を受け付けるとタッチ領域を記録するとともに、タッチ領域が定義されるように、タッチスクリーン３０に対するタッチの位置情報を記録する。位置情報は、タッチ領域を定義し、ストレージデバイス２４（またはメモリ１６）内に記録される。タッチスクリーン３２は、ユーザがタッチするための視覚的リファレンスを形成するために選択された画像を表示してもよい。
【００６２】
モジュール３８は、応答の種類を選択するユーザ入力を受け付けると応答を記録する。モジュール３８は、ある場合では、マイク２６からの音声という形で、カメラ２８からの画像という形で、または、マイク２６およびカメラ２８からの動画という形で、応答の記録を作成する。いくつかの例では、予め記録された応答が選択される。
【００６３】
モジュール４０は、ユーザからの指定場所の識別子を受け付けると、メッセージを作成する。モジュール４０はまた、記録されたタッチ領域、好ましくはリファレンス画像、および、記録された応答を、メッセージとして送るのに適した形式にフォーマットする。メッセージは、ストレージデバイス２４（またはメモリ１６）内に格納される。メッセージは、第２装置１４ａ、１４ｂのタッチ受付面でタッチを受け付けたときに、当該タッチが、上記タッチ領域と対照されるように構成され、さらに当該タッチが上記タッチ領域内である場合に、上記応答を引き起こすことができるように構成される。
【００６４】
モジュール４２は、ネットワークインターフェース１８を介してメッセージを上記指定場所にアップロードすることで、メッセージを送信する。メッセージはその後、ネットワークインターフェース１８から、ネットワーク２０からクラウドサーバへの通信網を経由して第２装置１４ａへ送信されるか、または、第２装置１４ｂに直接送信される。
【００６５】
図３を参照すると、ある一実施形態では、第２装置１４ａ、１４ｂはコンピュータアプリケーションの命令によって形作られる。上記コンピュータアプリケーションは、以下の機能モジュール６０を動作させるために、ネットワーク２０を介して第２装置１４ａ、１４ｂにロードされることで供されてもよい。
【００６６】
メッセージを受信するためのモジュール６２
タッチを受け付けるためのモジュール６４
タッチがタッチ領域内かどうか判定するためのモジュール６６
応答を与えるためのモジュール６８
第１装置は、メッセージを受信する、またはユーザによって生成されたメッセージを使用するように構成されることが好ましく、また、第２装置と同じように動作するように構成されることが望ましい。モジュール４４は、モジュール６２と同じように動作する。モジュール４６は、モジュール６４と同じように動作する。モジュール４８は、モジュール６６と同じように動作する。モジュール５０は、モジュール６８と同じように動作する。上記動作について第２装置のモジュールを参照して説明するが、当該動作は、第２装置のモジュールに相当するモジュールを備えた第１装置で実行することもできることを理解されたい。
【００６７】
モジュール６２は、第２装置１４ａ、１４ｂのネットワークインターフェース１８を介してメッセージを受信する。メッセージは、上述したように、第１装置１２のタッチ受付面（タッチスクリーン３２）上の記録されたタッチ領域とタッチ領域内にある第２装置１４ａ、１４ｂのタッチ受付面へのタッチにより引き起こされた応答とを包含する。メッセージは、第２装置１４ａ、１４ｂのタッチスクリーン３２に表示されるリファレンス画像を包含してもよい。
【００６８】
リファレンス画像がある場合、リファレンス画像は、タッチスクリーン３２に表示される。モジュール６４は、第２装置１４ａ、１４ｂのタッチスクリーン３２に対するタッチ入力を受け付ける。上記タッチ入力は対照するためにストレージデバイス２４内に記録される。
【００６９】
モジュール６６は、タッチ入力がタッチ領域内かどうかの対照および判定を行う。構成に応じて、種々の正確度合いにすることが許される。タッチ入力が受信したタッチ領域に合致する（許容された正確さの範囲内で合致する）イベントで、応答が引き起こされる。
【００７０】
モジュール６８は、受信したメッセージに含まれる応答に応じて引き起こされた応答を与える。例えば、上記応答は、必要に応じて、第２装置のスクリーン３２およびスピーカー２６の少なくとも一方へ出力される音声、画像、または動画であってもよい。
【００７１】
システム１０によれば、第２装置１４ａは、第２装置１４ｂが第１装置１２から直接メッセージを受信する間に、ネットワーク２０を介してメッセージを受信する。第２装置１４ａおよび１４ｂは両方とも、ネットワークインターフェースの形式の受信機を使用してメッセージを受信する。メッセージを受信した場合、上記処理は、第１装置１２が第２装置として動作するときと同じ処理である。
【００７２】
タッチメッセージは、複数の計算機装置間、大抵の場合、複数のスマートフォン間で送信される。上記機器は、タッチ記録を任意の音声および画像と組み合わせる。タッチは応答の再生に対する他の振る舞いを定義するために使用されてもよい。応答の再生は、１．同じデバイスで、２．短い範囲内の、可能ならば、Bluetooth（登録商標）の範囲内の他のデバイスで、または、３．メッセージ交換ハブを介してメッセージを送信した後の、距離がさらに離れたデバイスで行われてもよい。
【００７３】
図４を参照すると、タッチメッセージを送信する方法１００が示される。１０２に始まり、第１装置１２のユーザは、送信する準備ができているタッチメッセージを作成する。メッセージ作成については、以後、図５を用いてより詳細に記載する。
【００７４】
このポイントでは少なくとも３つの可能性がある。第１の可能性は、受信側のアプリケーションが動作中であるローカルデバイスに、メッセージを送信することである。第１装置１２で動作しているアプリケーションは、第２装置１４ｂでアプリケーションが動作していることを、ＬＡＮを介して接続されることで、認識できてもよい。接続は、アプリケーションが動作している２つのデバイス間で確立される。１つのデバイスは信号をブロードキャストし、さらに第２装置は、自装置が存在していることを示す。その後、どちらかのデバイスがメッセージの送信を開始し得る。ブロードキャストは、例えば、ＬＡＮ上のＵＤＰ（user datagram protocol）を利用したメッセージブロードキャストであってもよい。この場合、メッセージはローカルデバイスへ（近くのデバイスへ）送信される（１２０）。ローカルメッセージは、ＬＡＮを通じた通信を介して、第２装置１４ｂの受信機に到着する。
【００７５】
第２の可能性は、ユーザがデバイスを他の人に手渡す場合である。当該他の人は、同じデバイスでメッセージを再生することを選択できる（１３０）。
【００７６】
第３の可能性は、目的のデバイス１４ａが、ローカルでも、現在オンライン状態でもない場合である。この場合、メッセージ調整ハブを使用して接続が確立される。当該ハブは、メッセージの伝達を調整する交換部とも呼ばれる。メッセージは、交換部に送信される（１４０）。交換部はメッセージを受信し（１４２）、そしてメッセージで識別される受信側のデバイスがオンラインであるとき、該受信側のデバイスに通知を送信する。受信側のデバイスまたは交換サーバがいつ受信側のデバイスがインターネットに接続しているか、またはいつ受信側のデバイスでアプリケーションが起動されるかを確認した結果を登録してもよい。メッセージが使用可能である旨の通知が送信され、１４４において、受信側のデバイス１４ａに到着する。デバイス１４ａは交換サーバからメッセージを引き出す（１４６）。
【００７７】
タッチメッセージの伝達機能には制限はなく（open）、受信側のデバイスの番地、例えば、電話番号、e-mailアドレス、IPアドレスまたはこれらに類似するもの、を要求できさえすればよい。他に、伝達されるべきタッチメッセージのために、装置間で事前の許可を要求する方法を用いてもよい。
【００７８】
ユーザは、その後１５０において、メッセージを活性化（activate）することができる。受信側のユーザは、メッセージへのタッチを開始するよう促され得る。ユーザのタッチ開始を促すためのオプションは、メッセージが作成された時に指定される。上記オプションの指定は、メッセージの受信側ではなく、メッセージの送信側の選択でなされる。
【００７９】
メッセージが受信されると、タッチ開始を促すアクション（プロンプティングアクション）は
１．促すアクション（プロンプティング）なし、
２．アクティブな領域全体が僅かに光る、または、
３．ユーザがタッチを開始すべき位置にパルス波形が出現し、該パルス波形がタッチまたはトレースすべき経路に沿ってユーザの指を誘導するように僅かに動くアクション、
のいずれかを含む。
【００８０】
受信側のデバイス１４ａ、１４ｂは、以下に示すアクションのあらゆる組み合わせによって、ユーザのスクリーンをタッチするアクションに対して応答する。その応答は、メッセージを作成する間に何を特定するかに依る。
１．目に見える応答なし
２．元のタッチとのタッチの整合性の精度に基づく“スコア”(score)を記録
３．指をトレースするように視覚の強調表示を連続して与え、その強調表示は、元のタッチとの一致度合に応じて変化する
４．タッチしている間、音声フィードバックを規則的にまたは連続して与え、その音声フィードバックは元のタッチとの一致度合に応じて変化する
５．元のタッチパターンを正確に満たす、または、タッチ無しの予め定められたポーズであること、のどちらかによってタッチの中止を検出した場合、元のタッチパターンがどの程度正確に追従したかに従い変化し得る、最後のフィードバックを提供し、当該フィードバックは以下のａ〜ｃを１つ以上含んでいてよい。
ａ．音声フィードバック
ｂ．画像フィードバック
ｃ．テキストメッセージ
図５を参照すると、タッチメッセージを作成するための方法２００が示されている。ユーザは、前回のメッセージまたはテンプレートからメッセージの作成を開始してもよいし（２０４）、ブランク初期状態からメッセージの作成を開始してもよい（２０２）。
【００８１】
メッセージはその後、２０６で作成中の間“オープン”の状態となり、ユーザは、メッセージが準備できるまで１つ以上のシーンを作成することができる。ユーザは、種々のタッチの種類の数が１つになり得るように、２０８でトリガー領域を選択しなければならない。ユーザは、引き起こされるべきメッセージを与えなければならない。大抵、しばしば最初の段階で、リファレンス背景（reference background）が、２２２および２２４の少なくとも一方で選ばれる。２２４の場合、リファレンス背景は画像である。画像は、カメラから得られたものであってもよく（２２８）、デバイスに保存された画像（picture）（２２６）、または、メディアストアから得られるコンテンツ（２３０）であってもよい。２２２での場合では、タッチパターンのためのグラフィック背景が指定されなければ、アプリケーションによって初期設定時の無地の色が選ばれる。
【００８２】
リファレンス背景は、ユーザのタッチに対する視覚的リファレンスを与える。タッチ領域は、選択されたタッチの種類に応じて定義される。単純な例では、該定義は、該タッチ領域がタッチされたことに対する応答であるアクションが行われるように、１つ以上のタッチを設定することを含む。少なくとも、あるタッチ機構を定義することは必須である。第１装置のタッチスクリーンに適用されたタッチは、タッチ領域となり、タッチ記録モードで記録される。上記記録は、タッチメッセージが受信された場合の、タッチメッセージのためのトリガー機構となり得る。メッセージを与えるためのトリガー機構は以下であってもよい。
１．指定された領域内または画像（picture）全体の内側へのあらゆるタッチ、つまり単純なタッチ、または、指定された領域内または画像（picture）全体内に対する“ジグザグ”の前後のタッチ、または輪郭を描くこと（２１０）によること、または、
２．複合的な一連のタッチ（２１２）、可能であれば、タイミングが活性化（activate）されていること。
３．指定された順番の複合的なタッチ（２１４）。
【００８３】
正しいまたは間違いのタッチの少なくとも一方に基づいて、フィードバックが決定されてもよい（２１６）。この場合に提供されるべきコンテンツは、変化エフェクトを備えた新しいシーンを含み得る２１８で選ばれる。新しいシーンは、応答を活性化（activate）させるために要求される、種々のタッチアクションを有していてもよい。
【００８４】
２２０で、トレース（タッチ）を開始するよう促すことが選択されてもよい。
【００８５】
引き起こされる応答は、任意の新しい画像（２２４）を撮影写真から（２２８）、デバイスから（２２６）、またはメディアストアから（２３０）選択することによって定義される。２３２で音声が供給されてもよく、音声は、デバイスのシステム音声から（２３４）、録音音声から（２３６）、またはメディアストアの音声から（２３０）の場合がある。応答は動画であってもよい。
【００８６】
タッチメッセージの一例を、図６と図７とを参照して下記に記載する。カメラ２８は、足３００の写真を撮影するために使用され、該写真はタッチスクリーン３２上に表示される。アクティブなタッチ領域３０６は、画像３００上をドローイング（drawing）することで定義される。つまり、タッチ領域３０６をタッチすることにより３０２をトレースするためのタッチスクリーン３２上のリファレンス画像３００のタッチを行うことで、アクティブなタッチ領域が定義される。笑っている人の音声が、マイク２６を使用して録音される。メッセージは送信される。または、メッセージは、現在「受信側のデバイス」と称している同じデバイスで再生される。受信側のデバイスでは、タッチスクリーン３２上のタッチ領域３０６をタッチすると、結果として音声が再生される。タッチ領域の外部３０４をタッチすることで、応答なし、または別の応答が生じてもよい。
【００８７】
タッチスクリーンのスクリーンサイズは、第１装置と第２装置とで異なっていてもよい。したがって、リファレンス画像とタッチ領域は、第１装置上のタッチスクリーンのサイズ割当と第２装置上のタッチスクリーンのサイズ割当とに応じて定められてもよい。さらにタッチ領域は、タッチ領域は歪まないように、画面アスペクト比に合うよう定義されてもよい。
【００８８】
本発明は、明細書および示された図面の範囲内で変更されてもよい。そのような変更は、本明細書内で述べた、発明の一部分を形作ることを意図している。
【図１】
2017527032.tif 000003
【図２】
2017527032.tif 000004
【図３】
2017527032.tif 000005
【図４】
2017527032.tif 000006
【図５】
2017527032.tif 000007
【図６】
2017527032.tif 000008
【図７】
2017527032.tif 000009
【国際調査報告】
2017527032.tif 000010
2017527032.tif 000011
2017527032.tif 000012
2017527032.tif 000013
2017527032.tif 000014